(57)【要約】【課題】部屋の大きさ（容積）を加工する製品のサイズに合わせた大きさにすることにより、温度制御する空間をできるだけ小さくし、消費電力量を節減するようにした恒温室を提供すること。【解決手段】区画した室内に温調機１から所定温度の空気を導入するようにした恒温室において、床Ｆに並設されたレール２と、このレール２上を移動可能に設けられた複数の門型のフレーム３と、隣接するフレーム３の支柱３１を連結する伸縮機構４と、フレーム３に配設され室内を外部と仕切るシート部材５とを備えた恒温室ユニットＲ１、Ｒ２、Ｒ３、Ｒ４を複数連結してなる。【選択図】図１
2008050822.tif 000002
【特許請求の範囲】
【請求項１】
区画した室内に温調機から所定温度の空気を導入するようにした恒温室において、床に並設されたレールと、該レール上を移動可能に設けられた複数の門型のフレームと、隣接するフレームの支柱を連結する伸縮機構と、フレームに配設され室内を外部と仕切るシート部材とを備えたことを特徴とする恒温室。
【請求項２】
区画した室内に温調機から所定温度の空気を導入するようにした恒温室において、床に並設されたレールと、該レール上を移動可能に設けられた複数の門型のフレームと、隣接するフレームの支柱を連結する伸縮機構と、フレームに配設され室内を外部と仕切るシート部材とを備えた恒温室ユニットを複数連結してなることを特徴とする恒温室。
【請求項３】
恒温室のレール上での移動方向側の端面に配設するシート部材を、全開可能に構成したことを特徴とする請求項１又は２記載の恒温室。
【請求項４】
フレームの桟と略平行にソックダクトを配設したことを特徴とする請求項１、２又は３記載の恒温室。
【発明の詳細な説明】
【技術分野】
【０００１】
本発明は、限られた必要箇所のみを所定の温度条件下の雰囲気に保持するために用いられる恒温室に関し、特に、部屋の大きさ（容積）を加工する製品のサイズに合わせた大きさにすることにより、温度制御する空間をできるだけ小さくし、消費電力量を節減するようにした恒温室に関するものである。
【背景技術】
【０００２】
恒温室は、例えば、機械部品の組立等の各種作業を所定の温度条件下で行うために、工場の建屋内で、限られた必要箇所のみを所定の温度条件下の雰囲気に保持するために用いられている。
【０００３】
このような恒温室は、従来、パーテーションで部屋を作ったり、クリーンブースを流用しており、部屋の容積を変更することができなかった。
このため、小さな製品を対象とするときでも、温度制御しなければならない室内空間の大きさは変わらず、温調機の空気量や空調能力等もこの広い室内空間に合わせたまま変わらないため、消費電力量を節減することができなかった。
【０００４】
また、特許文献１には、部屋の容積を可変としたクリーンブースが開示されているが、このクリーンブースは、部屋の容積を変える際に、骨組みを構成するパイプ自体を伸縮する必要があることから、例えば、高さが７ｍを越えるような大型の恒温室に適用することは重量的かつ強度的に無理があり、さらに、パイプの伸縮には限界があることから、部屋の容積の拡大や縮小の範囲も小さく、限定的であるという問題を有している。
【特許文献１】実開平３−６７８３９号公報
【発明の開示】
【発明が解決しようとする課題】
【０００５】
本発明は、上記従来の恒温室が有する問題点に鑑み、部屋の大きさ（容積）を加工する製品のサイズに合わせた大きさにすることにより、温度制御する空間をできるだけ小さくし、消費電力量を節減するようにした恒温室を提供することを目的とする。
【課題を解決するための手段】
【０００６】
上記目的を達成するため、本発明の恒温室は、区画した室内に温調機から所定温度の空気を導入するようにした恒温室において、床に並設されたレールと、該レール上を移動可能に設けられた複数の門型のフレームと、隣接するフレームの支柱を連結する伸縮機構と、フレームに配設され室内を外部と仕切るシート部材とを備えたことを特徴とする。
【０００７】
また、同じ目的を達成するため、本発明の恒温室は、区画した室内に温調機から所定温度の空気を導入するようにした恒温室において、床に並設されたレールと、該レール上を移動可能に設けられた複数の門型のフレームと、隣接するフレームの支柱を連結する伸縮機構と、フレームに配設され室内を外部と仕切るシート部材とを備えた恒温室ユニットを複数連結してなることを特徴とする。
【０００８】
この場合において、恒温室のレール上での移動方向側の端面に配設するシート部材を、全開可能に構成することができる。
【０００９】
また、フレームの桟と略平行にソックダクトを配設することができる。
【発明の効果】
【００１０】
本発明の恒温室によれば、区画した室内に温調機から所定温度の空気を導入するようにした恒温室において、床に並設されたレールと、該レール上を移動可能に設けられた複数の門型のフレームと、隣接するフレームの支柱を連結する伸縮機構と、フレームに配設され室内を外部と仕切るシート部材とを備えることから、フレームをレールに沿って移動させることにより、フレームの間隔を拡大又は縮小し、部屋の大きさ（容積）を製品のサイズに合わせた大きさにすることができ、これにより、温度制御する空間をできるだけ小さくし、消費電力量を節減することができる。
この場合、フレームが門型に形成されるとともに、伸縮機構で連結された状態でレール上を移動することから、大型の恒温室においても、重量的にも強度的にも無理が生じない。
【００１１】
また、ユニット化した恒温室ユニットを複数連結して１つの恒温室を構成することにより、部屋の容積の調節をより自在にすることができる。
【００１２】
また、恒温室のレール上での移動方向側の端面に配設するシート部材を、全開・全閉可能に構成することにより、レール間の床面に設置した製品の上側を通って製品を蓋被することができ、また、逆に恒温室を移動させて製品を室外に取り出すことができ、恒温室の使用勝手を良好にすることができる。
【００１３】
また、フレームの桟と略平行にソックダクトを配設することにより、天井部ほぼ全面より制御空気を吹き出して室内の温度の全体のばらつきを少なくするとともに、温調空気吹出口の取り付けや取り外しを簡単にして、部屋の容積の拡大や縮小を容易に行うことができる。
【発明を実施するための最良の形態】
【００１４】
以下、本発明の恒温室の実施の形態を、図面に基づいて説明する。
【実施例１】
【００１５】
図１〜図４に、本発明の恒温室の一実施例を示す。
この恒温室は、区画した室内に温調機１から所定温度の空気を導入することにより、例えば、製造や組立等の各種作業を所定の温度条件下で行うものである。
そして、この恒温室は、床Ｆに並設されたレール２と、該レール２上を移動可能に設けられた複数の門型のフレーム３と、隣接するフレーム３の支柱３１を連結する伸縮機構４と、フレーム３に配設され室内を外部と仕切るシート部材５とを備えている。
【００１６】
レール２は、恒温室の幅をもって２本が平行に敷設されている。
図４に示すように、レール２の敷設位置の床Ｆは溝状に窪んでおり、レール２の上端が床面の高さになっている。
レール２の上部には、断面Ｔ字状の頭部２１が形成されており、この頭部２１の上面を支柱３１の車輪３３が転動する。
また、レール２の頭部２１の下には、支柱３１の挟みローラ３４が両側から配設されており、前記車輪３３とで頭部２１を挟み込むことにより、支柱３１の風圧等による浮き上がりを防止している。
【００１７】
フレーム３は、支柱３１と上部の桟３２とを一体に形成した門型を呈し、支柱３１の下部には、レール２の上下に配設される車輪３３と挟みローラ３４とが設けられている。
また、恒温室は、本実施例では、図１〜図３に示すように、４つの区画に分割できるもの、すなわち、ユニット化した恒温室ユニットＲ１、Ｒ２、Ｒ３、Ｒ４を複数（本実施例においては、４つのユニット）を１つに連結するようにしている。
この場合、恒温室の１つの区画（ユニット）は、２本のフレーム３を所定幅で固定した枠フレーム３ａを区画（ユニット）の前後に配設するとともに、これら枠フレーム３ａの間に単独のフレーム３を複数配設し、これら枠フレーム３ａと単独のフレーム３の隣接するものを伸縮機構４で連結している。
４つに区画された各恒温室ユニットＲ１、Ｒ２、Ｒ３、Ｒ４は、枠フレーム３ａを突き合わせた状態で、レールクランプ６により支柱３１の下部を位置固定するとともに、横棒状の開き止め部材７で伸縮機構４を固定することにより、フレーム３や枠フレーム３ａを固定し、伸縮しない状態で連結されている。
なお、この枠フレーム３ａの連結部は、一方の枠フレーム３ａに配設したフード状のカバー８で覆われることにより、空気の逃げが防止されている。
【００１８】
伸縮機構４は、本実施例ではＸ状のリンク機構からなり、隣接するフレーム３（枠フレーム３ａを含む）の支柱３１を連結することにより、各フレーム３、３ａを立設した状態で平行に支持するとともに、各フレーム３、３ａが追従して移動しながら各フレーム３、３ａの間隔が拡大又は縮小するようにしている。
このＸ状のリンク機構からなる伸縮機構４は、レール２上に位置する各支柱３１を連結するように、フレーム３、３ａの左右の支柱３１にそれぞれ設けるようにしているが、より具体的には、図５に示すように、Ｘ状のリンク機構を構成するリンク片４１の下端４１ａをフレーム３、３ａの左右の支柱３１にそれぞれ揺動可能に枢着するとともに、上端４１ｂを他方の支柱３１にそれぞれ上下方向に摺動可能に取り付け、リンク片４１同士をその中間位置４１ｃで枢着するようにしている。
なお、この場合、隣接するＸ状のリンク機構を構成するリンク片４１の上端４１ｂ同士を連結し、リンク片４１の上端４１ｂの上下方向の位置を合わせることによって、各フレーム３、３ａが追従して移動する際の移動量を均一にすることができる。
【００１９】
なお、伸縮機構４は、各フレーム３、３ａを立設した状態で平行に支持するとともに、各フレーム３、３ａが追従して移動しながら各フレーム３の間隔が拡大又は縮小するようにするものであれば、本実施例に記載のものに限定されず、例えば、図６に示すような、平行リンク機構（この場合、平行リンク機構を構成するリンク片４１の下端４１ａをフレーム３、３ａの左右の支柱３１の一方に揺動可能に枢着するとともに、上端４１ｂ同士を連結棒４１ｄを介して連結して他方の支柱３１に上下方向に摺動可能に取り付けるようにする。）や、図７に示すような、摺動バー機構（この場合、摺動バー機構を構成するバー片４２の一端４２ａを隣接するフレーム３、３ａの左右の支柱３１の一方に固定するとともに、他端側に抜け止め４２ｃを形成して他方の支柱３１に配設したブッシュ（スライドメタル）４２ｂに摺動可能に取り付ける。そして、図７に示すように、ブッシュ４２ｂにセットボルトＢを設けることにより、隣接するフレーム３、３ａの間隔を、バー片４２の長さの範囲で、任意に変更、固定することができる。なお、バー自体が軸方向に伸縮するテレスコピック構造を採用することもできる。）等の任意の機構を採用することができる。
【００２０】
シート部材５は、例えば、透明ビニールシートなどの柔軟性を有する通気性のないシートからなり、恒温室の側面と上面では、伸縮機構４で連結された枠フレーム３ａやフレーム３間に蛇腹状に配設されている。
また、枠フレーム３ａの側面には、ファスナー等により出入口９を設けたシート部材５が配設されている。
一方、恒温室の端面（図２（ｂ）に示す側面）では、シート部材５は枠フレーム３ａに対し、上部の桟３２と２本の支柱３１で区画されるエリアに張設されている。
この枠フレーム３ａのシート部材５は、例えば、図２（ｂ）に示すように、手動ウインチで巻き上げる吊り上げシート５ａや、図２（ｃ）に示すように、中央から開閉するようなカーテンシート５ｂからなり、いずれもシート５ａ、５ｂを全開することができる。
このため、前記４つに区画された恒温室ユニットＲ１、Ｒ２、Ｒ３、Ｒ４を連結した恒温室において、図３（ｂ）に示すように、その中間に位置する枠フレーム３ａのシート５ａ、５ｂを閉じることにより、恒温室を任意に区画することもできる。
また、側端面のシート５ａ（５ｂ）を含むシート５ａ（５ｂ）をすべて開けて、恒温室を縮小させれば、室内にあった製品を露呈できる。
なお、シート部材５の下部には、床との隙間からの空気の逃げを防止するために、目止め用の脱着シート５１が着脱可能に設置されている。
【００２１】
温調機１は、精密に制御した温調空気を恒温室に導入するもので、複数の温調機１が恒温室の一方の側部外側に着脱可能に設置されている。
この温調機１の送気部１ａから天井部までは、周囲が断熱材で覆われたフレキシブルダクト（図示省略）が設置されており、このフレキシブルダクトは、天井部でソックダクト１０に接続されている。
ソックダクト１０は、織り目から温調空気を吹き出すようにした布製のチューブダクトからなり、フレーム３の桟３２に支持された状態で、該桟３２と平行に複数本が配設されている。
このソックダクト１０により、天井部ほぼ全面より制御空気を吹き出して室内の温度のばらつきを少なくするとともに、温調空気吹出口の取り付けや取り外しを簡単にして、部屋の容積の拡大や縮小を容易に行えるようにしている。
【００２２】
かくして、本実施例の恒温室は、区画した室内に温調機１から所定温度の空気を導入するようにした恒温室において、床Ｆに並設されたレール２と、該レール２上を移動可能に設けられた複数の門型のフレーム３と、隣接するフレーム３の支柱３１を連結する伸縮機構４と、フレーム３に配設され室内を外部と仕切るシート部材５とを備えることから、フレーム３をレール２に沿って移動させることにより、フレーム３の間隔を拡大又は縮小し、部屋の大きさ（容積）を製品のサイズに合わせた大きさにすることができ、これにより、温度制御する空間をできるだけ小さくし、消費電力量を節減することができる。
この場合、フレーム３が門型に形成されるとともに、伸縮機構４で連結された状態でレール２上を移動することから、大型の恒温室においても、重量的にも強度的にも無理が生じない。
【００２３】
また、これらの恒温室ユニットＲ１、Ｒ２、Ｒ３、Ｒ４を複数連結して１つの恒温室を構成することにより、部屋の容積の調節をより自在にすることができる。
【００２４】
また、恒温室のレール２上での移動方向側の端面に配設するシート部材５を、全開・全閉可能に構成することにより、レール２間の床面に設置した製品の上側を通って製品を蓋被することができ、また、逆に恒温室を移動させて製品を室外に取り出すことができ、恒温室の使用勝手を良好にすることができる。
【００２５】
また、フレーム３の桟３２と略平行にソックダクト１０を配設することにより、天井部ほぼ全面より制御空気を吹き出して室内の温度の全体のばらつきを少なくするとともに、温調空気吹出口の取り付けや取り外しを簡単にして、部屋の容積の拡大や縮小を容易に行うことができる。
【００２６】
以上、本発明の恒温室について、ユニット化した恒温室ユニットＲ１、Ｒ２、Ｒ３、Ｒ４を複数連結して恒温室を構成するようにした実施例に基づいて説明したが、本発明は上記実施例に記載した構成に限定されるものではなく、例えば、１つの恒温室ユニット単独で恒温室を構成することもできる等、その趣旨を逸脱しない範囲において適宜その構成を変更することができる。
【産業上の利用可能性】
【００２７】
本発明の恒温室は、部屋の大きさ（容積）を製品のサイズに合わせた大きさにすることにより、温度制御する空間をできるだけ小さくし、消費電力量を節減できることから、フィルタを配設しない通常の恒温室をはじめとして、温調用クリーンブースやその他各種の恒温室（恒温用ブースを含む）に広く好適に適用することができる。
【図面の簡単な説明】
【００２８】
【図１】本発明の恒温室の一実施例を示し、（ａ）はシート部材を省略した正面図、（ｂ）は同側面図である。
【図２】同恒温室を示し、（ａ）はその正面図、（ｂ）は同側面図、（ｃ）は（ａ）のＡ−Ａ線断面図である。
【図３】同恒温室を示し、（ａ）は天井のシート部材を省略した平面図、（ｂ）は縮小するとともに一部を分離した状態を示す側面図である。
【図４】同恒温室を示し、（ａ）は支柱の車輪とレールを示す断面図、（ｂ）は同側面図、（ｃ）は同平面図、（ｄ）はレールの平面図である。
【図５】伸縮機構の一例を示す説明図である。
【図６】伸縮機構の変形例を示す説明図である。
【図７】伸縮機構の変形例を示す説明図で、（ａ）は伸びた状態、（ｂ）は縮んだ状態、（ｃ）は側面要部断面図である。
【符号の説明】
【００２９】
１    温調機
２    レール
２１  頭部
３    フレーム
３ａ  枠フレーム
３１  支柱
３２  桟
３３  車輪
３４  挟みローラ
４    伸縮機構
５    シート部材
５１  脱着シート
６    レールクランプ
７    開き止め部材
８    カバー
９    出入口
１０  ソックダクト
Ｒ１、Ｒ２、Ｒ３、Ｒ４  恒温室ユニット
【図１】
2008050822.tif 000003
【図２】
2008050822.tif 000004
【図３】
2008050822.tif 000005
【図４】
2008050822.tif 000006
【図５】
2008050822.tif 000007
【図６】
2008050822.tif 000008
【図７】
2008050822.tif 000009